【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
車両に組み付けられると共に、
データの書き換えが可能な不揮発性メモリと、
前記車両に搭載された機器からの情報に基づいて診断を行い、異常と判断した後、その異常を示す診断結果を前記不揮発性メモリに記憶する診断手段と、
を備えた電子制御装置であって、
前記不揮発性メモリへの前記診断結果の記憶が許可されているか否かを示す可否情報を記憶する可否情報記憶手段と、
外部装置から送信されて来る記憶許可指示を受けると、前記可否情報記憶手段内の可否情報を、非許可を示す内容から許可を示す内容に変更する許可切替手段と、
前記可否情報記憶手段内の可否情報が許可を示す内容である場合に、前記診断手段が前記診断結果を前記不揮発性メモリに記憶するのを許可する記憶許可手段と、
を備えていることを特徴とする電子制御装置。
【請求項２】
請求項１に記載の電子制御装置において、
ＯＢＤ２の規格に対応した故障診断装置から送信される特定のコマンドが、前記記憶許可指示になっていること、
を特徴とする電子制御装置。
【請求項３】
請求項２に記載の電子制御装置において、
前記特定のコマンドは、当該電子制御装置に対して、当該電子制御装置が前記故障診断装置に出力可能な情報の種類を問い合わせるコマンドであること、
を特徴とする電子制御装置。
【請求項４】
請求項１に記載の電子制御装置において、
データ保持用の電源が常時供給されたスタンバイＲＡＭを備え、
前記診断手段は、前記診断結果を前記スタンバイＲＡＭにも記憶するようになっており、そのスタンバイＲＡＭへの前記診断結果の記憶は常時許可されていること、
を特徴とする電子制御装置。
【請求項５】
請求項１又は請求項４に記載の電子制御装置において、
前記可否情報記憶手段は、前記不揮発性メモリの特定の記憶領域であること、
を特徴とする電子制御装置。
【請求項６】
請求項１、請求項４または請求項５の何れか１項に記載の電子制御装置について、前記診断結果が前記不揮発性メモリに記憶されるのを許可するための記憶許可方法であって、
前記電子制御装置の前記車両への組み付けが完了してから、その車両がユーザに使用され始めるまでの間に、前記外部装置から前記電子制御装置へ前記記憶許可指示を送信すること、
を特徴とする診断結果の不揮発性メモリへの記憶許可方法。
【請求項７】
請求項１、請求項４または請求項５の何れか１項に記載の電子制御装置において、
前記許可切替手段は、
車両に搭載された無線通信装置と通信して該車両に対するテレマティクスサービスを実施するための処理を行うセンターの情報処理装置から、当該電子制御装置が組み付けられた車両へ、前記テレマティクスサービスの実施開始時に送信される前記記憶許可指示を受けると、前記可否情報記憶手段内の可否情報を、非許可を示す内容から許可を示す内容に変更すること、
を特徴とする電子制御装置。
【請求項８】
請求項７に記載の電子制御装置が組み付けられた車両に搭載されている無線通信装置と通信して該車両に対するテレマティクスサービスを実施するための処理を行うセンターの情報処理装置であって、
前記車両に対する前記テレマティクスサービスの実施開始時に、その車両へ前記記憶許可指示を送信すること、
を特徴とする情報処理装置。
【請求項９】
請求項１、請求項４または請求項５の何れか１項に記載の電子制御装置と、
該電子制御装置が組み付けられた車両に搭載されている無線通信装置と通信して該車両に対するテレマティクスサービスを実施するための処理を行うセンターの情報処理装置と、
前記電子制御装置が組み付けられる車両の製造工場に設けられて、その車両が完成したか否かを示す管理情報を前記センターの情報処理装置へ送信する管理装置とを備え、
前記無線通信装置は、動作を開始すると前記センターの情報処理装置へのアクセスを開始し、
前記情報処理装置は、前記無線通信装置からのアクセスがあると、その無線通信装置が搭載されている車両が完成しているか否かを、前記管理装置からの前記管理情報に基づき判定して、その車両が完成していると判定したならば、その車両へ前記記憶許可指示を送信し、
前記電子制御装置の前記許可切替手段は、前記情報処理装置から送信された前記記憶許可指示を前記無線通信装置を介して受けると、前記可否情報記憶手段内の可否情報を、非許可を示す内容から許可を示す内容に変更すること、
を特徴とする診断結果の不揮発性メモリへの記憶許可システム。
【請求項１０】
請求項１、請求項４または請求項５の何れか１項に記載の電子制御装置と、
該電子制御装置が組み付けられた車両に搭載されている無線通信装置と通信して該車両に対するテレマティクスサービスを実施するための処理を行うセンターの情報処理装置とを備え、
前記情報処理装置は、前記車両が特定の領域を出たことを検知すると、その車両へ前記記憶許可指示を送信し、
前記電子制御装置の前記許可切替手段は、前記情報処理装置から送信された前記記憶許可指示を前記無線通信装置を介して受けると、前記可否情報記憶手段内の可否情報を、非許可を示す内容から許可を示す内容に変更すること、
を特徴とする診断結果の不揮発性メモリへの記憶許可システム。
【請求項１１】
請求項１、請求項４または請求項５の何れか１項に記載の電子制御装置と通信する外部装置であって、
前記電子制御装置が組み付けられた車両が、特定の領域を出たことを検知すると、前記電子制御装置へ前記記憶許可指示を送信すること、
を特徴とする外部装置。
【請求項１２】
車両に組み付けられると共に、
データの書き換えが可能な不揮発性メモリと、
前記車両に搭載された機器からの情報に基づいて診断を行い、異常と判断した後、その異常を示す診断結果を前記不揮発性メモリに記憶する診断手段と、
を備えた電子制御装置であって、
前記不揮発性メモリへの前記診断結果の記憶が許可されているか否かを示す可否情報を記憶する可否情報記憶手段と、
当該電子制御装置が組み付けられた車両に搭載されている無線通信装置と通信して該車両に対するテレマティクスサービスを実施するための処理を行うセンターの情報処理装置から、該車両へ前記テレマティクスサービスの実施を開始することを示す情報が送信されたことを検知すると、前記可否情報記憶手段内の可否情報を、非許可を示す内容から許可を示す内容に変更する許可切替手段と、
前記可否情報記憶手段内の可否情報が許可を示す内容である場合に、前記診断手段が前記診断結果を前記不揮発性メモリに記憶するのを許可する記憶許可手段と、
を備えていることを特徴とする電子制御装置。
【請求項１３】
車両に組み付けられると共に、
データの書き換えが可能な不揮発性メモリと、
前記車両に搭載された機器からの情報に基づいて診断を行い、異常と判断した後、その異常を示す診断結果を前記不揮発性メモリに記憶する診断手段と、
を備えた電子制御装置であって、
前記不揮発性メモリへの前記診断結果の記憶が許可されているか否かを示す可否情報を記憶する可否情報記憶手段と、
当該電子制御装置が組み付けられた車両が、特定の領域を出たことを検知すると、前記可否情報記憶手段内の可否情報を、非許可を示す内容から許可を示す内容に変更する許可切替手段と、
前記可否情報記憶手段内の可否情報が許可を示す内容である場合に、前記診断手段が前記診断結果を前記不揮発性メモリに記憶するのを許可する記憶許可手段と、
を備えていることを特徴とする電子制御装置。
【請求項１４】
請求項１２又は請求項１３に記載の電子制御装置において、
データ保持用の電源が常時供給されたスタンバイＲＡＭを備え、
前記診断手段は、前記診断結果を前記スタンバイＲＡＭにも記憶するようになっており、そのスタンバイＲＡＭへの前記診断結果の記憶は常時許可されていること、
を特徴とする電子制御装置。
【請求項１５】
請求項１２ないし請求項１４の何れか１項に記載の電子制御装置において、
前記可否情報記憶手段は、前記不揮発性メモリの特定の記憶領域であること、
を特徴とする電子制御装置。
【請求項１６】
車両に組み付けられると共に、
データの書き換えが可能な不揮発性メモリと、
前記車両に搭載された機器からの情報に基づいて診断を行い、異常と判断した後、その異常を示す診断結果を前記不揮発性メモリに記憶する診断手段と、
を備えた電子制御装置であって、
前記不揮発性メモリへの前記診断結果の記憶は、当該電子制御装置が搭載される車両の外部から送信されて来る記憶許可を示す信号を前記診断手段が受けて初めて許可されるものであることを特徴とする電子制御装置。
【請求項１７】
車両に組み付けられると共に、
データの書き換えが可能な不揮発性メモリと、
前記車両に搭載された機器からの情報に基づいて診断を行い、異常と判断した後、その異常を示す診断結果を前記不揮発性メモリに記憶する診断手段と、
を備えた電子制御装置であって、
当該電子制御装置の動作モードが、機能検査のための動作を行う機能検査モードから通常の動作を行う通常モードへ切り替わることに起因して、前記診断手段が前記診断結果を前記不揮発性メモリに記憶するのが許可されるようになっていること、
を特徴とする電子制御装置。
【手続補正２】
【補正対象書類名】明細書
【補正対象項目名】００１１
【補正方法】変更
【補正の内容】
【００１１】
具体的には、請求項６に記載の方法のように、当該電子制御装置の組み付け対象車両への組み付けが完了してから、その車両がユーザに使用され始めるまでの間に、外部装置から当該電子制御装置へ記憶許可指示を送信してやれば良い。尚、電子制御装置の車両への組み付けが完了するとは、車両に搭載されているセンサや電気負荷等の機器のうち、当該電子制御装置と接続されるべき全ての機器が当該電子制御装置に接続された状態になったことを意味している。
【手続補正３】
【補正対象書類名】明細書
【補正対象項目名】００１３
【補正方法】変更
【補正の内容】
【００１３】
尚、請求項６の方法は、車両の製造工場で実施することができ、また、車両の修理工場において、当該電子制御装置を新品に交換する際においても実施することができる。また、請求項６の方法の、更に具体的な一例としては、車両の製造工場において、その車両が完成したなら、外部装置から電子制御装置へ記憶許可指示を送信してやれば良い。
【手続補正４】
【補正対象書類名】明細書
【補正対象項目名】００１５
【補正方法】変更
【補正の内容】
【００１５】
次に、請求項４の電子制御装置では、請求項１の電子制御装置において、データ保持用の電源が常時供給されたＲＡＭであるスタンバイＲＡＭ（バックアップＲＡＭとも呼ばれる）が備えられている。そして、診断手段は、診断結果をスタンバイＲＡＭにも記憶するようになっており、そのスタンバイＲＡＭへの診断結果の記憶は常時許可されている。
【手続補正５】
【補正対象書類名】明細書
【補正対象項目名】００１６
【補正方法】変更
【補正の内容】
【００１６】
このような請求項４の電子制御装置によれば、当該装置の車両への組み付け中に検出された異常を示す診断結果はスタンバイＲＡＭ内に残るため、その組み付け中に発生した不具合や故障の解析を、スタンバイＲＡＭ内の診断結果に基づき容易に行うことができるようになる。
【手続補正６】
【補正対象書類名】明細書
【補正対象項目名】００１７
【補正方法】変更
【補正の内容】
【００１７】
次に、請求項５の電子制御装置では、請求項１，４の電子制御装置において、可否情報記憶手段は、書換可能不揮発性メモリの特定の記憶領域であることを特徴としている。
このような請求項５の電子制御装置によれば、全ての電源が遮断されても（具体的には、データ保持用のバックアップ電源が遮断されても）、許可を示す内容に変更された可否情報を継続して保持することができる。このため、車両がユーザに使用され始めてから、書換可能不揮発性メモリへの診断結果の記憶が非許可に戻ってしまうのを確実に防止することができる。
【手続補正７】
【補正対象書類名】明細書
【補正対象項目名】００１８
【補正方法】変更
【補正の内容】
【００１８】
次に、請求項７の電子制御装置では、請求項１、請求項４または請求項５の何れか１項に記載の電子制御装置において、許可切替手段は、車両に搭載された無線通信装置と通信して該車両に対するテレマティクスサービスを実施するための処理を行うセンターの情報処理装置から、当該電子制御装置が組み付けられた車両へ、テレマティクスサービスの実施開始時に送信される記憶許可指示を受けると、可否情報記憶手段内の可否情報を、非許可を示す内容から許可を示す内容に変更する。
【手続補正８】
【補正対象書類名】明細書
【補正対象項目名】００１９
【補正方法】変更
【補正の内容】
【００１９】
そして、このような請求項７の電子制御装置によれば、車両の製造工場やカーディーラにおいて、人が外部装置から当該電子制御装置へ記憶許可指示を送信させるための特別な作業を行わなくても、請求項１の電子制御装置について述べた効果（即ち、診断結果のうち、ユーザによる使用開始前の不要な診断結果だけが書換可能不揮発性メモリに記憶されないようにすることができる、という効果）を得ることができる。
【手続補正９】
【補正対象書類名】明細書
【補正対象項目名】００２１
【補正方法】変更
【補正の内容】
【００２１】
一方、請求項８の情報処理装置は、請求項７の電子制御装置が組み付けられた車両に搭載されている無線通信装置と通信して該車両に対するテレマティクスサービスを実施するための処理を行うセンターの情報処理装置であって、車両に対するテレマティクスサービスの実施開始時に、その車両へ前記記憶許可指示を送信するようになっている。そして、このような情報処理装置によれば、請求項７の電子制御装置が搭載された車両の通信相手として用いることができる。
【手続補正１０】
【補正対象書類名】明細書
【補正対象項目名】００２２
【補正方法】変更
【補正の内容】
【００２２】
次に、請求項９の診断結果の不揮発性メモリへの記憶許可システムは、請求項１、請求項４または請求項５の何れか１項に記載の電子制御装置と、該電子制御装置が組み付けられた車両に搭載されている無線通信装置と通信して該車両に対するテレマティクスサービスを実施するための処理を行うセンターの情報処理装置と、前記電子制御装置が組み付けられる車両の製造工場に設けられて、その車両が完成したか否かを示す管理情報を前記センターの情報処理装置へ送信する管理装置とを備えている。
【手続補正１１】
【補正対象書類名】明細書
【補正対象項目名】００２５
【補正方法】変更
【補正の内容】
【００２５】
このような請求項９の記憶許可システムによれば、車両の製造中において、当該車両の無線通信装置が動作を開始してセンターの情報処理装置にアクセスしても、その情報処理装置からは記憶許可指示が送信されない。そして、車両が完成した後、当該車両の無線通信装置がセンターの情報処理装置にアクセスした場合には、その情報処理装置から当該車両へ記憶許可指示が送信されて、当該車両の電子制御装置における可否情報記憶手段内の可否情報が許可を示す内容に変更される（即ち、診断結果の書換可能不揮発性メモリへの記憶が許可される）こととなる。
【手続補正１２】
【補正対象書類名】明細書
【補正対象項目名】００２７
【補正方法】変更
【補正の内容】
【００２７】
次に、請求項１０の診断結果の不揮発性メモリへの記憶許可システムは、請求項１、請求項４または請求項５の電子制御装置と、該電子制御装置が組み付けられた車両に搭載されている無線通信装置と通信して該車両に対するテレマティクスサービスを実施するための処理を行うセンターの情報処理装置とを備えている。
【手続補正１３】
【補正対象書類名】明細書
【補正対象項目名】００２９
【補正方法】変更
【補正の内容】
【００２９】
このような請求項１０の記憶許可システムによれば、車両が特定の領域を出ると、その車両の電子制御装置における可否情報記憶手段内の可否情報が許可を示す内容に変更されることとなる。このため、特定の領域を、例えば、車両製造工場の敷地や、その製造工場の敷地のうち、製造中の車両が存在し完成車両は排除されると定められている領域や、カーディーラの敷地や、そのカーディーラの敷地のうちで車両の電子制御装置を新品に交換するための作業領域など、車両のユーザーが車両を使用する前の特定の領域に設定しておけば、人が特別な作業を行わなくても、請求項１の電子制御装置について述べた効果を得ることができる。
【手続補正１４】
【補正対象書類名】明細書
【補正対象項目名】００３０
【補正方法】変更
【補正の内容】
【００３０】
一方、請求項１１の外部装置は、請求項１、請求項４または請求項５の電子制御装置と通信する外部装置であって、その電子制御装置が組み付けられた車両が、特定の領域を出たことを検知すると、その電子制御装置へ前記記憶許可指示を送信する。
【手続補正１５】
【補正対象書類名】明細書
【補正対象項目名】００３１
【補正方法】変更
【補正の内容】
【００３１】
そして、このような外部装置によれば、特定の領域を、請求項１０の記憶許可システムについて述べたのと同様の領域に設定しておくことにより、人が特別な作業を行わなくても、請求項１の電子制御装置について述べた効果を得ることができる。
【手続補正１６】
【補正対象書類名】明細書
【補正対象項目名】００３２
【補正方法】変更
【補正の内容】
【００３２】
次に、請求項１２の電子制御装置は、車両に組み付けられるものであり、データの書き換えが可能な書換可能不揮発性メモリと、車両に搭載された機器からの情報に基づいて診断を行い、異常と判断した後、その異常を示す診断結果を書換可能不揮発性メモリに記憶する診断手段とを備えている。
【手続補正１７】
【補正対象書類名】明細書
【補正対象項目名】００３５
【補正方法】変更
【補正の内容】
【００３５】
このような請求項１２の電子制御装置によれば、センターによる車両へのサービス開始時であって、車両のユーザによる使用開始直前に、診断結果の書換可能メモリへの記憶が自動的に許可されることとなる。よって、請求項７の電子制御装置と同様に、人が特別な作業を行わなくても、請求項１の電子制御装置について述べた効果を得ることができる。
【手続補正１８】
【補正対象書類名】明細書
【補正対象項目名】００３６
【補正方法】変更
【補正の内容】
【００３６】
次に、請求項１３の電子制御装置は、車両に組み付けられるものであり、データの書き換えが可能な書換可能不揮発性メモリと、前記車両に搭載された機器からの情報に基づいて診断を行い、異常と判断した後、その異常を示す診断結果を書換可能不揮発性メモリに記憶する診断手段とを備えている。
【手続補正１９】
【補正対象書類名】明細書
【補正対象項目名】００３９
【補正方法】変更
【補正の内容】
【００３９】
このような請求項１３の電子制御装置によれば、当該装置が組み付けられた車両が特定の領域を出ると、可否情報記憶手段内の可否情報が許可を示す内容に変更されることとなる。このため、特定の領域を、請求項１０の記憶許可システムについて述べたのと同様の領域に設定しておけば、人が特別な作業を行わなくても、請求項１の電子制御装置について述べた効果を得ることができる。
【手続補正２０】
【補正対象書類名】明細書
【補正対象項目名】００４０
【補正方法】変更
【補正の内容】
【００４０】
次に、請求項１４の電子制御装置では、請求項１２，１３の電子制御装置において、データ保持用の電源が常時供給されたＲＡＭであるスタンバイＲＡＭが備えられている。そして、診断手段は、診断結果をスタンバイＲＡＭにも記憶するようになっており、そのスタンバイＲＡＭへの診断結果の記憶は常時許可されている。
【手続補正２１】
【補正対象書類名】明細書
【補正対象項目名】００４１
【補正方法】変更
【補正の内容】
【００４１】
このような請求項１４の電子制御装置によれば、請求項４の電子制御装置について述べた効果と同じ効果が得られる。
次に、請求項１５の電子制御装置では、請求項１２〜１４の電子制御装置において、可否情報記憶手段は、書換可能不揮発性メモリの特定の記憶領域であることを特徴としている。
【手続補正２２】
【補正対象書類名】明細書
【補正対象項目名】００４２
【補正方法】変更
【補正の内容】
【００４２】
このような請求項１５の電子制御装置によれば、請求項５の電子制御装置について述べた効果と同じ効果が得られる。
また、請求項１６の電子制御装置では、車両外部から送られてくる、記憶許可を示す情報を受けて初めて、電源が保持されなくても記憶内容を保持し続けることのできる不揮発性メモリへの診断結果の記憶を許可されるため、車両がユーザーに渡る前の製造段階、車両製造メーカの工場内であって、かつディーラーに届けられるまでの間において、電子制御装置が搭載され、他の電子制御装置や制御機器などのアクチュエータ、センサ等が組みつけられていく過程やあるいは完成後の工程検査中などにおいて、都合により記憶されてしまう可能性があって、かつ不揮発性メモリには記憶したくない診断結果の記憶を禁止することができる。
【手続補正２３】
【補正対象書類名】明細書
【補正対象項目名】００４３
【補正方法】変更
【補正の内容】
【００４３】
尚、請求項２の電子制御装置は、請求項１の電子制御装置において、ＯＢＤ２の規格に対応した故障診断装置から送信される特定のコマンドが、記憶許可指示になっている。つまり、上記故障診断装置から特定のコマンドが送信されて来ると、許可切替手段により、可否情報記憶手段内の可否情報が非許可を示す内容から許可を示す内容に変更され、それに伴い、記憶許可手段が、書換可能不揮発性メモリへの診断結果の記憶を許可することとなる。
【手続補正２４】
【補正対象書類名】明細書
【補正対象項目名】００４５
【補正方法】変更
【補正の内容】
【００４５】
このような請求項２の電子制御装置によれば、車両が市場へ出た後に当該電子制御装置が新品に交換された場合や、書換可能不揮発性メモリへの診断結果の記憶が許可されていないまま車両が工場から出荷された場合でも、市場にて上記故障診断装置を接続することにより、書換可能不揮発性メモリへの診断結果の記憶を許可することができる。よって、当該電子制御装置が新品に交換された車両や工場から出荷された新品の車両がユーザに使用され始める直前に、診断結果の記憶を許可するのに有利である。
【手続補正２５】
【補正対象書類名】明細書
【補正対象項目名】００４７
【補正方法】変更
【補正の内容】
【００４７】
そこで、請求項３に記載のように、上記特定のコマンドをサポート情報問い合わせコマンドとすれば、故障診断装置を車両の通信線に接続するだけで、特別な操作をしなくても、書換可能不揮発性メモリへの診断結果の記憶を許可することができ、操作忘れによって診断結果の記憶許可が未実施になってしまう、ということを回避することができる。
【手続補正２６】
【補正対象書類名】明細書
【補正対象項目名】００５５
【補正方法】変更
【補正の内容】
【００５５】
また、この構成の場合、可否情報記憶手段を、書換可能不揮発性メモリの特定の記憶領域にすれば、請求項５の電子制御装置について述べた効果と同じ効果が得られる。
また、この構成に、請求項１に記載の許可切替手段を追加すれば、外部装置からの記憶許可指示によっても、書換可能不揮発性メモリへの診断結果の記憶を許可することができるようになる。
【手続補正２７】
【補正対象書類名】明細書
【補正対象項目名】００５６
【補正方法】変更
【補正の内容】
【００５６】
また、請求項１７の電子制御装置において、診断手段は、診断結果をスタンバイＲＡＭにも記憶すると共に、そのスタンバイＲＡＭへの診断結果の記憶は常時許可されているようにすれば、請求項４の電子制御装置について述べた効果と同じ効果が得られる。